(57)【特許請求の範囲】
【請求項１】
軸方向の両端において第１端子及び第２端子と接続するソケットコンタクトであって、
前記ソケットコンタクトは、第１部位と、第２部位と、連結部とを備えており、
前記第１部位は、前記第１端子に接続される第１接点を含む第１端部と、前記第２端子に接続される第２接点を含む第２端部と、前記第１接点と前記第２接点との間に位置する第１バネ部とを有しており、
前記第２部位は、前記第１端子に接続される第３接点を含む第３端部と、前記第２端子に接続される第４接点を含む第４端部と、前記第３接点と前記第４接点との間に位置する第２バネ部とを有しており、
前記連結部は、前記第１端部と前記第４端部とを連結しており、
前記連結部は、前記第１バネ部及び前記第２バネ部のいずれとも直接連結されていない
ソケットコンタクト。
【請求項２】
請求項１記載のソケットコンタクトであって、
前記第１バネ部及び前記第２バネ部は、夫々、前記軸方向において、折り返された部分を有していない
ソケットコンタクト。
【請求項３】
請求項１又は請求項２記載のソケットコンタクトであって、
前記第１部位と前記第２部位とは、前記軸方向と直交する直交方向において対向配置されている
ソケットコンタクト。
【請求項４】
請求項３記載のソケットコンタクトであって、
前記連結部は、前記軸方向と前記直交方向とで規定される所定平面に投影された場合にＺ字状の形状を有している
ソケットコンタクト。
【請求項５】
請求項４記載のソケットコンタクトであって、
前記連結部は、基部を有している
ソケットコンタクト。
【請求項６】
請求項１乃至請求項５のいずれかに記載のソケットコンタクトと、前記ソケットコンタクトを少なくとも部分的に収容して保持する保持部材とを備える中継コネクタ。
【請求項７】
請求項６記載の中継コネクタであって、
前記ソケットコンタクトには、前記第１端部から前記第２端部側に向かって延びるランスが形成されており、
前記保持部材の内側には、前記ランスの先端と前記軸方向において対向する突当部が形成されている
中継コネクタ。
【請求項８】
請求項７記載の中継コネクタであって、
前記第１部位及び前記第２部位の夫々は、前記ランスと前記連結部との間に位置している
中継コネクタ。
【請求項９】
請求項７又は請求項８記載の中継コネクタであって、
前記ソケットコンタクトは、前記第１端部と前記連結部との境界部分に形成された第１肩部と前記第１端部と前記ランスとの境界部分に形成された第２肩部とを有しており、
前記保持部材の内側には、前記軸方向において、前記第１肩部及び前記第２肩部を夫々受け止める第１受部及び第２受部が形成されており、
前記第１肩部及び前記第２肩部が前記第１受部及び前記第２受部に接触しているとき、前記ランスの先端は前記突当部から前記軸方向において離れており、前記ソケットコンタクトが前記保持部材内において前記軸方向に移動可能である
中継コネクタ。
【請求項１０】
請求項６乃至請求項９のいずれかに記載の中継コネクタと、第１コネクタと、第２コネクタとを備えるコネクタ装置であって、
前記第１コネクタは、第１中心導体として前記第１端子を備えると共に、前記軸方向と直交する径方向において前記第１中心導体から離れて位置する第１外部導体を備えており、
前記第２コネクタは、第２中心導体として前記第２端子を備えると共に、前記径方向において前記第２中心導体から離れて位置する第２外部導体を備えており、
前記中継コネクタは、前記軸方向の両端において前記第１コネクタ及び前記第２コネクタと夫々嵌合するものであり、
前記中継コネクタは、前記第１外部導体と前記第２外部導体とに接続される外部コンタクトを更に備えており、
前記保持部材は、前記ソケットコンタクトと前記外部コンタクトとを互いに絶縁しており、
前記外部コンタクトは、外側第１端部と、外側第２端部と、外側主部とを有しており、
前記外側第１端部及び前記外側第２端部は、前記軸方向において互いから離れて位置しており、且つ、前記第１外部導体及び前記第２外部導体に夫々接続されるものであり、
前記外側主部は、前記外側第１端部と前記外側第２端部とを連結しており、
前記外部コンタクトには、前記外側第１端部から前記外側第２端部に向けて延びるものの前記外側第２端部までは達していない複数の第１スリットと、前記外側第２端部から前記外側第１端部に向けて延びるものの前記外側第１端部までは達していない複数の第２スリットとが形成されており、
前記第１スリットと前記第２スリットとは、前記軸方向を中心とする周方向において交互に並んでおり、
前記第１スリット及び前記第２スリットの前記軸方向における位置は、互いに部分的に重なっている
コネクタ装置。
【請求項１１】
請求項１０記載のコネクタ装置であって、
前記第１スリットの数と前記第２スリットの数は等しい
コネクタ装置。
【請求項１２】
請求項１０又は請求項１１記載のコネクタ装置であって、
前記外部コンタクトには、前記第１スリットと前記外側第２端部との間に位置する第１ストッパと、前記第２スリットと前記外側第１端部との間に位置する第２ストッパとが設けられており、
前記保持部材には、前記第１スリットに受容される少なくとも１つの第１突部と、前記第２スリットに受容される少なくとも１つの第２突部とが形成されており、
前記第１突部は、前記第１ストッパと前記軸方向において対向する第１対向面を有しており、
前記第２突部は、前記第２ストッパと前記軸方向において対向する第２対向面を有している
コネクタ装置。
【請求項１３】
請求項１２記載のコネクタ装置であって、
前記第１突部は、前記軸方向と斜交する第１斜面を更に有しており、
前記第１対向面は、前記軸方向において、前記第１斜面と前記第１ストッパとの間に位置しており、
前記第２突部は、前記軸方向と斜交する第２斜面を更に有しており、
前記第２対向面は、前記軸方向において、前記第２斜面と前記第２ストッパとの間に位置している
コネクタ装置。
【請求項１４】
請求項１２又は請求項１３記載のコネクタ装置であって、
前記第１外部導体と前記第２外部導体のうちの前記第２外部導体のみに、前記外側第２端部をロックするロック部が形成されており、
前記中継コネクタは、前記ロック部が前記外側第２端部をロックすることにより、前記第２コネクタに保持されており、
前記第１コネクタを前記中継コネクタから外す際に、前記第２ストッパと前記第２対向面とが突き当たることにより、前記保持部材が前記外部コンタクトから外れてしまうことが防止される
コネクタ装置。
【請求項１５】
請求項１０乃至請求項１４のいずれかに記載のコネクタ装置であって、
前記外部コンタクトの前記外側主部は、前記径方向において、前記第１外部導体と前記第２外部導体から離れて位置している
コネクタ装置。
【請求項１６】
請求項１５記載のコネクタ装置であって、
前記第１外部導体には、前記第１コネクタと前記中継コネクタとを嵌合する際に、前記外部コンタクトの前記外側第１端部をガイドするガイド部が形成されている
コネクタ装置。
【請求項１７】
請求項１６記載のコネクタ装置であって、
前記ガイド部は、前記第１コネクタと前記第２コネクタとが前記中継コネクタを介して接続された際にも、前記第２外部導体と直接接触しないように設けられている
コネクタ装置。
【請求項１８】
請求項１０至請求項１７のいずれかに記載のコネクタ装置であって、
前記軸方向において、前記第１スリットのサイズは、前記外部コンタクトのサイズの半分よりも大きく、
前記軸方向において、前記第２スリットのサイズは、前記外部コンタクトのサイズの半分よりも大きい
コネクタ装置。
【請求項１９】
請求項１０乃至請求項１８のいずれかに記載のコネクタ装置であって、
前記第１コネクタは、第１回路基板に固定されるものであり、
前記第２コネクタは、前記第１回路基板とは異なる第２回路基板に固定されるものである
コネクタ装置。
【発明の詳細な説明】
【技術分野】
【０００１】
本発明は、回路基板同士の接続に適するコネクタ装置に関し、特に、コネクタ装置に含まれる中継コネクタのソケットコンタクトに関する。
【背景技術】
【０００２】
図２４に示されるように、特許文献１は、第１コネクタ９１０と、第２コネクタ９２０と、中継コネクタ９３０とを備えるコネクタ装置９００を開示している。第１コネクタ９１０は、マザーボード９４０に固定されており、第１端子９１５を備えている。第２コネクタ９２０は、ドーターボード９５０に固定されており、第２端子９２５を備えている。中継コネクタ９３０は、第１コネクタ９１０に嵌合され保持されている。中継コネクタ９３０は、ソケットコンタクト９３５を備えている。ソケットコンタクト９３５は、一端において第１端子９１５と接続され、他端において第２端子９２５と接続される。第２コネクタ９２０と中継コネクタ９３０は、軸方向に沿って互いに嵌合抜去することができる。
【先行技術文献】
【特許文献】
【０００３】
【特許文献１】特開２０００−２１５９５６号公報
【発明の概要】
【発明が解決しようとする課題】
【０００４】
本発明は、基板間距離が短いような場合であっても確実に接続できる構造を備えるコネクタ装置並びにそれに用いることのできる中継コネクタ及びソケットコンタクトを提供することを目的とする。
【課題を解決するための手段】
【０００５】
本発明は、第１のソケットコンタクトとして、
軸方向の両端において第１端子及び第２端子と接続するソケットコンタクトであって、
前記ソケットコンタクトは、第１部位と、第２部位と、連結部とを備えており、
前記第１部位は、前記第１端子に接続される第１接点を含む第１端部と、前記第２端子に接続される第２接点を含む第２端部と、前記第１接点と前記第２接点との間に位置する第１バネ部とを有しており、
前記第２部位は、前記第１端子に接続される第３接点を含む第３端部と、前記第２端子に接続される第４接点を含む第４端部と、前記第３接点と前記第４接点との間に位置する第２バネ部とを有しており、
前記連結部は、前記第１端部と前記第４端部とを連結している
ソケットコンタクトを提供する。
【０００６】
また、本発明は、第２のソケットコンタクトとして、第１のソケットコンタクトであって、
前記第１バネ部及び前記第２バネ部は、夫々、前記軸方向において、折り返された部分を有していない
ソケットコンタクトを提供する。
【０００７】
また、本発明は、第３のソケットコンタクトとして、第１又は第２のソケットコンタクトであって、
前記第１部位と前記第２部位とは、前記軸方向と直交する直交方向において対向配置されている
ソケットコンタクトを提供する。
【０００８】
また、本発明は、第４のソケットコンタクトとして、第３のソケットコンタクトであって、
前記連結部は、前記軸方向と前記直交方向とで規定される所定平面に投影された場合にＺ字状の形状を有している
ソケットコンタクトを提供する。
【０００９】
また、本発明は、第５のソケットコンタクトとして、第４のソケットコンタクトであって、
前記連結部は、前記所定平面と平行な面内において前記軸方向と交差する方向に延びる基部を有している
ソケットコンタクトを提供する。
【００１０】
また、本発明は、第１の中継コネクタとして、
第１乃至第５のいずれかのソケットコンタクトと、前記ソケットコンタクトを少なくとも部分的に収容して保持する保持部材とを備える中継コネクタを提供する。
【００１１】
また、本発明は、第２の中継コネクタとして、第１の中継コネクタであって、
前記ソケットコンタクトには、前記第１端部から前記第２端部側に向かって延びるランスが形成されており、
前記保持部材の内側には、前記ランスの先端と前記軸方向において対向する突当部が形成されている
中継コネクタを提供する。
【００１２】
また、本発明は、第３の中継コネクタとして、第２の中継コネクタであって、
前記第１部位及び前記第２部位の夫々は、前記ランスと前記連結部との間に位置している
中継コネクタを提供する。
【００１３】
また、本発明は、第４の中継コネクタとして、第２又は第３の中継コネクタであって、
前記ソケットコンタクトは、前記第１端部と前記連結部との境界部分に形成された第１肩部と前記第１端部と前記ランスとの境界部分に形成された第２肩部とを有しており、
前記保持部材の内側には、前記軸方向において、前記第１肩部及び前記第２肩部を夫々受け止める第１受部及び第２受部が形成されており、
前記第１肩部及び前記第２肩部が前記第１受部及び前記第２受部に接触しているとき、前記ランスの先端は前記突当部から前記軸方向において離れており、前記ソケットコンタクトが前記保持部材内において前記軸方向に移動可能である
中継コネクタを提供する。
【００１４】
また、本発明は、第１のコネクタ装置として、
第１乃至第４のいずれかの中継コネクタと、第１コネクタと、第２コネクタとを備えるコネクタ装置であって、
前記第１コネクタは、第１中心導体として前記第１端子を備えると共に、前記軸方向と直交する径方向において前記第１中心導体から離れて位置する第１外部導体を備えており、
前記第２コネクタは、第２中心導体として前記第２端子を備えると共に、前記径方向において前記第２中心導体から離れて位置する第２外部導体を備えており、
前記中継コネクタは、前記軸方向の両端において前記第１コネクタ及び前記第２コネクタと夫々嵌合するものであり、
前記中継コネクタは、前記第１外部導体と前記第２外部導体とに接続される外部コンタクトを更に備えており、
前記保持部材は、前記ソケットコンタクトと前記外部コンタクトとを互いに絶縁しており、
前記外部コンタクトは、外側第１端部と、外側第２端部と、外側主部とを有しており、
前記外側第１端部及び前記外側第２端部は、前記軸方向において互いから離れて位置しており、且つ、前記第１外部導体及び前記第２外部導体に夫々接続されるものであり、
前記外側主部は、前記外側第１端部と前記外側第２端部とを連結しており、
前記外部コンタクトには、前記外側第１端部から前記外側第２端部に向けて延びるものの前記外側第２端部までは達していない複数の第１スリットと、前記外側第２端部から前記外側第１端部に向けて延びるものの前記外側第１端部までは達していない複数の第２スリットとが形成されており、
前記第１スリットと前記第２スリットとは、前記軸方向を中心とする周方向において交互に並んでおり、
前記第１スリット及び前記第２スリットの前記軸方向における位置は、互いに部分的に重なっている
コネクタ装置を提供する。
【００１５】
また、本発明は、第２のコネクタ装置として、第１のコネクタ装置であって、
前記第１スリットの数と前記第２スリットの数は等しい
コネクタ装置を提供する。
【００１６】
また、本発明は、第３のコネクタ装置として、第１又は第２のコネクタ装置であって、
前記外部コンタクトには、前記第１スリットと前記外側第２端部との間に位置する第１ストッパと、前記第２スリットと前記外側第１端部との間に位置する第２ストッパとが設けられており、
前記保持部材には、前記第１スリットに受容される少なくとも１つの第１突部と、前記第２スリットに受容される少なくとも１つの第２突部とが形成されており、
前記第１突部は、前記第１ストッパと前記軸方向において対向する第１対向面を有しており、
前記第２突部は、前記第２ストッパと前記軸方向において対向する第２対向面を有している
コネクタ装置を提供する。
【００１７】
また、本発明は、第４のコネクタ装置として、第３のコネクタ装置であって、
前記第１突部は、前記軸方向と斜交する第１斜面を更に有しており、
前記第１対向面は、前記軸方向において、前記第１斜面と前記第１ストッパとの間に位置しており、
前記第２突部は、前記軸方向と斜交する第２斜面を更に有しており、
前記第２対向面は、前記軸方向において、前記第２斜面と前記第２ストッパとの間に位置している
コネクタ装置を提供する。
【００１８】
また、本発明は、第５のコネクタ装置として、第３又は第４のコネクタ装置であって、
前記第１外部導体と前記第２外部導体のうちの前記第２外部導体のみに、前記外側第２端部をロックするロック部が形成されており、
前記中継コネクタは、前記ロック部が前記外側第２端部をロックすることにより、前記第２コネクタに保持されており、
前記第１コネクタを前記中継コネクタから外す際に、前記第２ストッパと前記第２対向面とが突き当たることにより、前記保持部材が前記外部コンタクトから外れてしまうことが防止される
コネクタ装置を提供する。
【００１９】
また、本発明は、第６のコネクタ装置として、第１乃至第５のいずれかのコネクタ装置であって、
前記外部コンタクトの前記外側主部は、前記径方向において、前記第１外部導体と前記第２外部導体から離れて位置している
コネクタ装置を提供する。
【００２０】
また、本発明は、第７のコネクタ装置として、第６のコネクタ装置であって、
前記第１外部導体には、前記第１コネクタと前記中継コネクタとを嵌合する際に、前記外部コンタクトの前記外側第１端部をガイドするガイド部が形成されている
コネクタ装置を提供する。
【００２１】
また、本発明は、第８のコネクタ装置として、第７のコネクタ装置であって、
前記ガイド部は、前記第１コネクタと前記第２コネクタとが前記中継コネクタを介して接続された際にも、前記第２外部導体と直接接触しないように設けられている
コネクタ装置を提供する。
【００２２】
また、本発明は、第９のコネクタ装置として、第１乃至第８のいずれかのコネクタ装置であって、
前記軸方向において、前記第１スリットのサイズは、前記外部コンタクトのサイズの半分よりも大きく、
前記軸方向において、前記第２スリットのサイズは、前記外部コンタクトのサイズの半分よりも大きい
コネクタ装置を提供する。
【００２３】
また、本発明は、第１０のコネクタ装置として、第１乃至第９のいずれかのコネクタ装置であって、
前記第１コネクタは、第１回路基板に固定されるものであり、
前記第２コネクタは、前記第１回路基板とは異なる第２回路基板に固定されるものである
コネクタ装置を提供する。
【発明の効果】
【００２４】
第１部位の第１端部と、第１部位の第１端部から軸方向において遠くに離れて位置する第２部位の第４端部とを連結部で連結することとしたため、第１バネ部や第２バネ部の軸方向のサイズを大きくとることができる。これにより、基板間距離が短いような場合であってもソケットコンタクトの十分なバネ力を確保することができることから、ソケットコンタクトにより、第１対象物（第１コネクタ）の第１端子と第２対象物（第２コネクタ）の第２端子とを確実に接続することができる。
【図面の簡単な説明】
【００２５】
【図１】本発明の実施の形態による第１コネクタ、第２コネクタ及び中継コネクタを備えるコネクタ装置を示す斜視図である。第１コネクタ、第２コネクタ及び中継コネクタは、互いに嵌合されていない。
【図２】図１のコネクタ装置を示す斜視図である。中継コネクタは第２コネクタに取り付けられている。第１コネクタは中継コネクタとは嵌合されていない。
【図３】図２のコネクタ装置をＡ−Ａ線に沿って示す断面図である。
【図４】図１の第１コネクタを示す斜視図である。
【図５】図４の第１コネクタを示す断面図である。
【図６】図１の第２コネクタを示す断面図である。
【図７】図１の中継コネクタを示す斜視図である。
【図８】図７の中継コネクタを示す側面図である。
【図９】図７の中継コネクタを示す分解斜視図である。
【図１０】図９の中継コネクタに含まれるソケットコンタクトを示す斜視図である。
【図１１】図１０のソケットコンタクトを示す側面図である。
【図１２】図９の中継コネクタに含まれる保持部材を示す側面図である。
【図１３】図１２の保持部材を示す他の側面図であって、図１２の側面図とは９０度異なる側面を示す。
【図１４】図１２の保持部材の軸方向の一端を示す図である。
【図１５】図１２の保持部材の軸方向の他端を示す図である。
【図１６】図１２の保持部材をＢ−Ｂ線に沿って示す断面図である。
【図１７】図１０のソケットコンタクトを図１４の保持部材に収容してなる構造体を示す図である。
【図１８】図１０のソケットコンタクトを図１５の保持部材に収容してなる構造体を示す図である。
【図１９】図１７の構造体を図１２のＢ−Ｂ線に沿って示す断面図である。
【図２０】図１７の構造体を図１２のＣ−Ｃ線に沿って示す断面図である。
【図２１】図１７の構造体を図１３のＤ−Ｄ線に沿って示す断面図である。
【図２２】図１７の構造体を図１３のＥ−Ｅ線に沿って示す断面図である。
【図２３】図９の中継コネクタに含まれる外部コンタクトを示す側面図である。
【図２４】特許文献１のコネクタ装置を示す断面図である。
【発明を実施するための形態】
【００２６】
図１及び図２を参照すると、本実施の形態によるコネクタ装置１０は、第１コネクタ１００と、第２コネクタ２００と、軸方向の両端において第１コネクタ１００及び第２コネクタ２００と夫々嵌合する中継コネクタ３００とを備えている。実使用状態においては、中継コネクタ３００は、第２コネクタ２００に嵌合され、取り付けられた状態になっており、第１コネクタ１００のみが、軸方向に沿って中継コネクタ３００と嵌合抜去される。図３に示されるように、第１コネクタ１００は、第１回路基板７００に固定されるものであり、第２コネクタ２００は、第１回路基板７００とは異なる第２回路基板７５０に固定されるものである。詳しくは、第１コネクタ１００は、表面実装タイプであり、第２コネクタ２００は、スルーホール実装タイプである。
【００２７】
図４及び図５に示されるように、第１コネクタ１００は、第１中心導体（第１端子）１１０と、第１保持部材１２０と、第１外部導体１３０とを備えている。第１中心導体１１０は、軸方向に延びている。第１保持部材１２０は、絶縁体からなるものであり、第１中心導体１１０を保持している。第１外部導体１３０は、第１保持部材１２０を径方向において覆うように第１保持部材１２０に取り付けられ、それによって、第１外部導体１３０は、径方向において第１中心導体１１０から離れて位置している。このようにして、第１中心導体１１０と第１外部導体１３０とは、第１保持部材１２０により径方向において分離絶縁されている。第１外部導体１３０の端部は、径方向に開いており、ガイド部１３２を構成している。
【００２８】
図１及び図６に示されるように、第２コネクタ２００は、第２中心導体（第２端子）２１０と、第２保持部材２２０と、第２外部導体２３０とを備えている。第２中心導体２１０は、軸方向に延びている。第２保持部材２２０は、絶縁体からなるものであり、第２中心導体２１０を保持している。図６に示されるように、第２中心導体２１０は、第２保持部材２２０を貫通して軸方向に長く延びている。第２外部導体２３０は、第２保持部材２２０を径方向において覆うように第２保持部材２２０に取り付けられ、それによって、第２外部導体２３０は、径方向において第２中心導体２１０から離れて位置している。このようにして、第２中心導体２１０と第２外部導体２３０とは、第２保持部材２２０により径方向において分離絶縁されている。
【００２９】
図６に示されるように、第２外部導体２３０の端部２３２は端部２３２以外と比べて径が小さく、端部２３２と端部２３２以外との間には段差が形成されている。段差は、ロック部２３４として使用される。図５及び図６から理解されるように、このようなロック部２３４は、第１外部導体１３０には形成されていない。即ち、ロック部２３４は、第１外部導体１３０と第２外部導体２３０のうちの第２外部導体２３０のみに形成されている。一方、図５及び図６から理解されるように、上述したようなガイド部１３２は、第１外部導体１３０のみに形成されており、第２外部導体２３０には形成されていない。
【００３０】
図７に示されるように、中継コネクタ３００は、導電体からなるソケットコンタクト４００と、絶縁体からなる保持部材５００と、導電体からなる外部コンタクト６００とを備えている。
【００３１】
図３に示されるように、ソケットコンタクト４００は、軸方向の両端において第１中心導体（第１端子）１１０と第２中心導体（第２端子）２１０に接続されるものである。
【００３２】
図９乃至図１１を参照すると、ソケットコンタクト４００は、１枚の金属板を打ち抜き且つ曲げ加工して得られるものであり、第１部位４１０と、第２部位４３０と、連結部４５０と、ランス４６０とを有している。
【００３３】
図１０に示されるように、第１部位４１０は、第１中心導体１１０（図３参照）に接続される第１接点４１４を含む内側第１端部（第１端部）４１２と、第２中心導体２１０（図３参照）に接続される第２接点４１８を含む内側第２端部（第２端部）４１６と、第１接点４１４と第２接点４１８との間に位置する第１バネ部４２０とを有している。本実施の形態の第１バネ部４２０は、基本的に軸方向に延びている。即ち、本実施の形態の第１バネ部４２０は、軸方向において、折り返された部分を有していない。
【００３４】
図９に示されるように、第２部位４３０は、第１中心導体１１０（図３参照）に接続される第３接点４３４を含む内側第３端部（第３端部）４３２と、第２中心導体２１０（図３参照）に接続される第４接点４３８を含む内側第４端部（第４端部）４３６と、第３接点４３４と第４接点４３８との間に位置する第２バネ部４４０とを有している。本実施の形態の第２バネ部４４０は、基本的に軸方向に延びている。即ち、本実施の形態の第２バネ部４４０は、軸方向において、折り返された部分を有していない。
【００３５】
上述したように、第１バネ部４２０と第２バネ部４４０は、軸方向において折り返された部分を有していない。従って、ソケットコンタクト４００にて第１中心導体１１０（図３参照）と第２中心導体２１０（図３参照）との間を中継する際には、電流が軸方向において行ったり来たりすることなく一方から他方に流れることとなる。従って、ソケットコンタクト４００による中継において高周波特性が劣化してしまうことを避けることができる。
【００３６】
図９に示されるように、連結部４５０は、内側第１端部４１２と内側第４端部４３６とを連結しており、それによって、第１部位４１０と第２部位４３０とは、軸方向と直交する直交方向において対向配置されている。
【００３７】
本実施の形態の連結部４５０は、第１バネ部４２０や第２バネ部４４０には直接連結されていない。そのため、連結部４５０が第１バネ部４２０や第２バネ部４４０のバネ性を損なうことがない。
【００３８】
図９に示されるように、連結部４５０は、基部４５２と、第１曲げ部（第１肩部）４５４と、第２曲げ部４５６とを有しており、軸方向と直交方向とで規定される所定平面に投影された場合にＺ字状の形状を有している。基部４５２は、所定平面と平行な面内において軸方向と交差する方向に延びている。第１曲げ部４５４は、内側第１端部４１２と基部４５２とを連結しており、第２曲げ部４５６は、内側第４端部４３６と基部４５２とを連結している。即ち、第１曲げ部４５４は、内側第１端部４１２と連結部４５０との境界部分に形成されており、第２曲げ部４５６は、内側第４端部４３６と連結部４５０との境界部分に形成されている。
【００３９】
図１０に示されるように、ランス４６０は、軸方向において内側第１端部４１２から内側第２端部４１６側に向かって外側に開きつつ延びている。内側第１端部４１２とランス４６０との境界部分には、第２肩部４６４が形成されている。第２肩部４６４も、第１曲げ部４５４や第２曲げ部４５６のように曲げ形成された部分である。この第２肩部４６４により、ランス４６０は、軸方向及び直交方向の双方と直交する所定方向において、連結部４５０と対向するように配置されている。ランス４６０と連結部４５０とは所定方向において離れて位置している。詳しくは、所定方向において、第１部位４１０及び第２部位４３０は、ランス４６０と連結部４５０との間に位置している。
【００４０】
図７から理解されるように、保持部材５００は、ソケットコンタクト４００を収容すると共に、ソケットコンタクト４００と外部コンタクト６００とを互いに絶縁している。但し、本発明はこれに限定されるわけではなく、保持部材５００は、ソケットコンタクト４００を少なくとも部分的に収容していればよい。
【００４１】
図９並びに図１２乃至図１６に示されるように、本実施の形態の保持部材５００は、大径部５１０と、軸方向と直交する平面内において大径部５１０よりも小さい２つの小径部５２０とを有している。２つの小径部５２０は、軸方向において大径部５１０の両端に位置している。換言すると、大径部５１０は、軸方向において、２つの小径部５２０に挟まれている。大径部５１０には、２つの第１突部５３０と、２つの第２突部５４０とが形成されている。図１２及び図１３に最もよく示されるように、各第１突部５３０は、軸方向と直交する第１対向面５３２と、軸方向と斜交する第１斜面５３４とを有している。第１対向面５３２は、軸方向において、第１突部５３０の一端側に位置し、第１斜面５３４は、軸方向において、第１突部５３０の他端側に位置している。換言すると、第１対向面５３２は、第１斜面５３４よりも保持部材第２端部５０４に近く、第１斜面５３４は、第１対向面５３２よりも保持部材第１端部５０２に近い。各第２突部５４０は、軸方向と直交する第２対向面５４２と、軸方向と斜交する第２斜面５４４とを有している。第２対向面５４２は、軸方向において、第２突部５４０の他端側に位置し、第２斜面５４４は、軸方向において、第２突部５４０の一端側に位置している。換言すると、第２対向面５４２は、第２斜面５４４よりも保持部材第１端部５０２に近く、第２斜面５４４は、第２対向面５４２よりも保持部材第２端部５０４に近い。これらのことから理解されるように、軸方向において、第１突部５３０と第２突部５４０とは逆向きに向いている。
【００４２】
図１４乃至図１６に示されるように、保持部材５００には、保持孔５５０が形成されている。保持孔５５０は、軸方向において保持部材５００を貫通している。図１７乃至図２２に示されるように、ソケットコンタクト４００は、保持孔５５０内に受容され、保持される。具体的には、ソケットコンタクト４００を保持部材５００の保持部材第２端部５０４から保持部材第１端部５０２側に向けて保持孔５５０内に挿入する。詳しくは、内側第１端部４１２や内側第３端部４３２を内側第２端部４１６や内側第４端部４３６よりも先に保持孔５５０内に挿入する。挿入の際、ランス４６０は一時的に撓むが、保持孔５５０内において復帰し、後述するように、保持部材５００内部と対向する。
【００４３】
図１６に示されるように、保持部材５００の内側（即ち、保持孔５５０内）には、突当部５６０と、第１受部５７０と、第２受部５８０とが形成されている。突当部５６０と、第１受部５７０と、第２受部５８０とは、夫々、軸方向と直交している。図１６及び図１９から理解されるように、突当部５６０は、軸方向においてランス４６０の先端４６２と対向している。同様に、第１受部５７０及び第２受部５８０は、軸方向において第１肩部（第１曲げ部）４５４及び第２肩部４６４と夫々対向しており、第１肩部４５４と第２肩部４６４とを夫々受け止めることが可能である。図１９から理解されるように、本実施の形態の保持部材５００とソケットコンタクト４００とは、第１肩部４５４及び第２肩部４６４が第１受部５７０及び第２受部５８０に接触しているとき、ランス４６０の先端４６２が突当部５６０から軸方向において離れているように、設計されている。このため、ソケットコンタクト４００は、保持部材５００内において軸方向に移動可能である。即ち、ソケットコンタクト４００は、軸方向において移動可能となるように、保持部材５００にフローティング支持されている。本実施の形態においては、ランス４６０の先端４６２が突当部５６０に対向し、第１肩部４５４及び第２肩部４６４が第１受部５７０及び第２受部５８０と夫々対向していることから、保持孔５５０に保持されたソケットコンタクト４００が保持孔５５０の外に抜け出てしまうことが防止されている。
【００４４】
図３に示されるように、外部コンタクト６００は、第１外部導体１３０と第２外部導体２３０とに接続されるものである。
【００４５】
図９及び図２３に示されるように、外部コンタクト６００は、外側第１端部６１０と、外側第２端部６２０と、外側主部６３０とを有している。外側第１端部６１０と外側第２端部６２０とは、軸方向において互いに離れて位置している。外側主部６３０は、外側第１端部６１０と外側第２端部６２０とを連結している。図３に示されるように、外側第１端部６１０と外側第２端部６２０とは、外側に突出したくの字状の断面を有している。これら外側第１端部６１０及び外側第２端部６２０は、第１外部導体１３０及び第２外部導体２３０に夫々接続されるものである。
【００４６】
図９及び図２３に示されるように、外部コンタクト６００には、複数の第１スリット６４０と、複数の第２スリット６５０とが形成されている。第１スリット６４０は、夫々、外側第１端部６１０から外側第２端部６２０に向けて延びるものの外側第２端部６２０までは達してしない。第２スリット６５０は、夫々、外側第２端部６２０から外側第１端部６１０に向けて延びるものの外側第１端部６１０までは達してしない。軸方向において第１スリット６４０の終端を構成する端部（即ち、外側第２端部６２０に近い端部）は、後述する第１ストッパ６４５として機能する。同様に、軸方向において第２スリット６５０の終端を構成する端部（即ち、外側第１端部６１０に近い端部）は、後述する第２ストッパ６５５として機能する。
【００４７】
第１スリット６４０同士に挟まれた部位は、外側第１端部６１０を弾性支持するバネ部として機能し、第２スリット６５０同士に挟まれた部位は、外側第２端部６２０を弾性支持するバネ部として機能する。これらのバネ部により、外側第１端部６１０や外側第２端部６２０は、径方向に移動することができる。即ち、弾性変形する。
【００４８】
本実施の形態において、第１スリット６４０の数と第２スリット６５０の数は等しく、また、第１スリット６４０と第２スリット６５０とは、軸方向を中心とする周方向において交互に並んでいる。また、第１スリット６４０及び第２スリット６５０の軸方向における位置は、互いに部分的に重なっている。その結果、外側第１端部６１０を支持するバネ部には第２スリット６５０の一部が形成されており、外側第２端部６２０を支持するバネ部には第１スリット６４０の一部が形成されている。このような構造としたことから、外部コンタクト６００の軸方向におけるサイズを小さくしつつ、比較的長いスリットを形成しバネ長の長いバネを得ることができる。具体的には、本実施の形態においては、軸方向において、第１スリット６４０のサイズは、外部コンタクト６００のサイズの半分よりも大きく、第２スリット６５０のサイズは、外部コンタクト６００のサイズの半分よりも大きいため、外部コンタクト６００のサイズが小さくても、外側第１端部６１０及び外側第２端部６２０を支持するバネ部のバネ長を大きくとることができる。
【００４９】
上述したような構造を有する外部コンタクト６００は、保持部材第１端部５０２が外側第１端部６１０側に位置し且つ保持部材第２端部５０４が外側第２端部６２０側に位置するように、保持部材５００を外部コンタクト６００内に挿入することにより、保持部材５００の外周上に取り付けられる。この取り付けの際、第１突部５３０の第１斜面５３４や第２突部５４０の第２斜面５４４が設けられていることから、外部コンタクト６００に対する保持部材５００の挿入が容易に行える。この取り付けの結果、第１突部５３０は、第１スリット６４０に受容されており、第２突部５４０は、第２スリット６５０に受容されている。
【００５０】
詳しくは、図８を参照すると、第１突部５３０の第１対向面５３２は、軸方向において、第１ストッパ６４５と対向しており、第２突部５４０の第２対向面５４２は、軸方向において、第２ストッパ６５５と対向している。また、軸方向において、第１対向面５３２は、第１斜面５３４と第１ストッパ６４５との間に位置しており、第２対向面５４２は、軸方向において、第２斜面５４４と第２ストッパ６５５との間に位置している。更に、第１ストッパ６４５は、第１スリット６４０と外側第２端部６２０との間に位置しており、第２ストッパ６５５は、第２スリット６５０と外側第１端部６１０との間に位置している。
【００５１】
更に、図９に示されるように大径部５１０の軸方向における両端に小径部５２０が設けられていることから、図７に示されるように外側第１端部６１０と外側第２端部６２０の径方向内側にはスペースが形成される。そのため、外側第１端部６１０や外側第２端部６２０は、径方向内側に向かって移動可能である。
【００５２】
図２から理解されるように、第２コネクタ２００に中継コネクタ３００を嵌合した状態において、外部コンタクト６００の外側主部６３０は、径方向において、第２外部導体２３０から離れて位置している。そのため、中継コネクタ３００は、外部コンタクト６００のバネ性を利用して、軸方向と直交する平面内において移動可能である。即ち、中継コネクタ３００は、第２コネクタ２００にフローティング支持されている。このように第２コネクタ２００にフローティング支持された中継コネクタ３００と第１コネクタ１００とを嵌合する際、外側第１端部６１０はガイド部１３２にガイドされ、第１外部導体１３０内に適切に受容される。これにより、図３から理解されるように、第１回路基板７００と第２回路基板７５０とを対向させた際に、第１コネクタ１００と中継コネクタ３００の位置が多少ずれていても、両者の嵌合位置を目視することなく、第１コネクタ１００と中継コネクタ３００とを適切に嵌合させることができる。
【００５３】
図３に示されるように、第１コネクタ１００と第２コネクタ２００とが中継コネクタ３００を介して互いに接続した状態において、外部コンタクト６００の外側主部６３０は、径方向において、第１外部導体１３０から離れて位置している。図３から理解されるように、第１コネクタ１００の第１外部導体１３０と中継コネクタ３００の外部コンタクト６００とは外側第１端部６１０のみにおいて接続されており、第２コネクタ２００の第２外部導体２３０と中継コネクタ３００の外部コンタクト６００とは外側第２端部６２０のみにおいて接続されている。
【００５４】
図３に示されるように、第１コネクタ１００と第２コネクタ２００とが中継コネクタ３００を介して互いに接続した状態において、ガイド部１３２は、第２外部導体２３０と直接接触しないように設けられている。
【００５５】
図３に示されるように、外側第２端部６２０は、中継コネクタ３００が第２コネクタ２００に嵌合した状態において、第２外部導体２３０のロック部２３４にロックされている。一方、前述したように、第１コネクタ１００には、ロック部２３４のような部位が設けられていない。そのため、第１回路基板７００に固定した第１コネクタ１００と第２回路基板７５０に固定した第２コネクタ２００とを中継コネクタ３００を介して互いに接続した状態において、第１回路基板７００と第２回路基板７５０を互いに離れる方向に移動させると、中継コネクタ３００と第２コネクタ２００との嵌合は維持されたまま、中継コネクタ３００から第１コネクタ１００が抜去される。この際、第２ストッパ６５５（図８参照）と第２対向面５４２とが突き当たることにより、保持部材５００が外部コンタクト６００から外れてしまうことが防止される。
【００５６】
以上、本発明の実施の形態について具体的に説明してきたが、本発明はこれに限定されるわけではなく、様々な変形などが可能である。例えば、図１に示されたガイド部１３２は、第１外部導体１３０の端部に切り込みを入れて開いてあるが、本発明はこれに限定されるわけではなく、シャーカットで剪断して筒状に端部を形成する、あるいは剪断せずに筒状の端部を広げて、第１外部導体１３０を形成することで、切れ込みを有さないガイド部を形成することとしてもよい。
【符号の説明】
【００５７】
１０        コネクタ装置
１００        第１コネクタ
１１０        第１中心導体（第１端子）
１２０        第１保持部材
１３０        第１外部導体
１３２        ガイド部
２００        第２コネクタ
２１０        第２中心導体（第２端子）
２２０        第２保持部材
２３０        第２外部導体
２３２        端部
２３４        ロック部
３００        中継コネクタ
４００        ソケットコンタクト
４１０        第１部位
４１２        内側第１端部（第１端部）
４１４        第１接点
４１６        内側第２端部（第２端部）
４１８        第２接点
４２０        第１バネ部
４３０        第２部位
４３２        内側第３端部（第３端部）
４３４        第３接点
４３６        内側第４端部（第４端部）
４３８        第４接点
４４０        第２バネ部
４５０        連結部
４５２        基部
４５４        第１曲げ部（第１肩部）
４５６        第２曲げ部
４６０        ランス
４６２        先端
４６４        第２肩部
５００        保持部材
５０２        保持部材第１端部
５０４        保持部材第２端部
５１０        大径部
５２０        小径部
５３０        第１突部
５３２        第１対向面
５３４        第１斜面
５４０        第２突部
５４２        第２対向面
５４４        第２斜面
５５０        保持孔
５６０        突当部
５７０        第１受部
５８０        第２受部
６００        外部コンタクト
６１０        外側第１端部
６２０        外側第２端部
６３０        外側主部
６４０        第１スリット
６４５        第１ストッパ
６５０        第２スリット
６５５        第２ストッパ
７００        第１回路基板
７５０        第２回路基板
【図１】
0006482059.tif 000002
【図２】
0006482059.tif 000003
【図３】
0006482059.tif 000004
【図４】
0006482059.tif 000005
【図５】
0006482059.tif 000006
【図６】
0006482059.tif 000007
【図７】
0006482059.tif 000008
【図８】
0006482059.tif 000009
【図９】
0006482059.tif 000010
【図１０】
0006482059.tif 000011
【図１１】
0006482059.tif 000012
【図１２】
0006482059.tif 000013
【図１３】
0006482059.tif 000014
【図１４】
0006482059.tif 000015
【図１５】
0006482059.tif 000016
【図１６】
0006482059.tif 000017
【図１７】
0006482059.tif 000018
【図１８】
0006482059.tif 000019
【図１９】
0006482059.tif 000020
【図２０】
0006482059.tif 000021
【図２１】
0006482059.tif 000022
【図２２】
0006482059.tif 000023
【図２３】
0006482059.tif 000024
【図２４】
0006482059.tif 000025